(57)【要約】【課題】ゲームなどへの使用を目的とした、コマの形態をした道具において、コマの回転数が低下して倒れても、コマがボード上から移動しないことによって、方向指示機能及びルーレット機能を有することを特徴とする多機能コマの開発、及びその使用法。【解決手段】重さ２０ｇ以上、倒れた時に地面と水平に設置されているボードと回転軸の角度が６０〜８５°で、かつ１）円形の回転盤に文字情報が記載されていること、または２）文字情報が記載している脱着可能な文字盤を回転盤の上面に装着していることにより、方向指示機能及びルーレット機能を有する多機能コマの取得を可能とし、またそれをボードを用いたゲームなどに幅広く使用することも可能となる。【選択図】　図１
2004097745.tif 000002
【特許請求の範囲】
【請求項１】
重さ２０ｇ以上、倒れた時に地面と水平に設置されているボードと回転軸の角度が６０〜８５°で、かつ円形の回転盤に文字情報が記載されていることを特徴とする多機能コマ
【請求項２】
重さ２０ｇ以上、倒れた時に地面と水平に設置されているボードと回転軸の角度が６０〜８５°で、かつ文字情報が記載している脱着可能な文字盤を回転盤の上面に装着していることを特徴とする多機能コマ
【請求項３】
様々な情報が記載されているボード上で、回転させることを特徴とする請求項１、２に記載の多機能コマの使用法
【発明の詳細な説明】
【０００１】
【発明の属する技術分野】
本発明はボードを用いたゲームなどへの使用を目的とした、方向指示機能及びルーレット機能を有するコマの形態をした道具、及びその使用法に関する。
【０００２】
【従来の技術】
ボードゲームにおいては、ボード上の現在位置から専用のルーレットにて得られた数値より移動距離、例えば進むマス目数などを決めていたが、その方向について示すことができず、そのためボードゲーム上にあらかじめ進む方向、例えばマス目を記載しておくことが通例であった。本手法では動く方向に制限があったため、ボードゲームの可能性を狭くしていた。
【０００３】
動く方向をランダムに決める方法としては、鉛筆などの棒をボード上の現在位置で垂直に立て、その倒れた方向で動く方向を決定するという古典的な手法が知られている。しかしながら、この方法では移動距離を決めることができない。
【０００４】
そこで、ボード上の現在位置に正確に設置でき、かつ方向指示機能、ルーレット機能を有するものとして、回転盤に数字などの文字情報を有するコマが考えられる。この場合、回転力が弱くなるとある方向に倒れることによる方向指示機能を有しており、かつコマは文字情報を有しているので、倒れた方向の回転盤の文字情報を見ることにより、ルーレット機能も有することになる。よって、コマの回転軸をボード上の現在位置に設置してまわすことで、新たに移動する方向と、文字情報として移動距離が記載されている場合は距離を得ることが可能と考えられる。
【０００５】
しかしながら、通常のコマは倒れたときもまだ高い回転力を有しており、そのため倒れた時に、その回転力によりボードと摩擦が生じることによって、ボード上の元々の位置から大きく移動してしまうため、実用的な方法ではない。
【０００６】
なお従来品として、ルーレット機能を有するコマとして知られている「角コマ」はコマの側部が多面体で各面に文字情報が記載されていることを特徴としているが、同じ位置で回転し続けることを想定していない。また、「箱コマ」はコマと文字盤が別々にあり、コマの倒れた方向の文字情報を参照するというものであるが、コマと文字盤を別々に用意する必要があるため本目的には適さない。
【０００７】
【発明の実施の形態】
本問題を解決するため鋭意検討した結果、重さ２０ｇ以上、倒れた時に地面と水平に設置されているボードと回転軸の角度が６０〜８５°で、かつ１）円形の回転盤に文字情報が記載されていること、または２）文字情報が記載している脱着可能な文字盤を回転盤の上面に装着していること、により目的の多機能コマの取得が可能となる。
【０００８】
その一例として図１、２について説明すれば、回転軸１のかなり下部に円形の回転盤２の中心部分が回転軸１に対して垂直になるように取り付けられている。回転盤２の上面には数字などの文字情報が記載されている。ここで重要なことは、コマ自身にある程度の重量を持たせることであり、かつ倒れた時に水平に設置されているボードと回転軸１の角度を可能な限り垂直に近くすることにある。このことによって重心が低くなることで安定性が向上するため、コマが倒れるときの回転盤２の回転数は低くなり、かつコマ自身がある程度の重量を有しているので、コマが倒れてもボードの元々の位置に留まることができる。
【０００９】
その時のコマの重量であるが、望ましくは２０ｇ以上、さらに望ましくは４０ｇ以上であるのがよい。また、コマが倒れた時のボードと回転軸１の角度であるが６０〜８５°であるのが、さらに望ましくは７０〜８５°であるのがよい。
【００１０】
また、円形の回転盤２であるが、ボードとの摩擦を押さえるため、接触する角の部分は滑らかであることが望ましい。また、コマの重量を増やすために、回転盤２に厚さを持たせること、例えば５ｍｍ以上にするのも一つの方法となる。回転盤２の直径はあまり大きすぎると応用範囲が絞られるので、１０ｃｍ以下が望ましい。
【００１１】
回転盤２については、先の条件を満たせば、回転盤２の周りに回転盤２の回転の影響を受けにくい構造を特徴とするような枠などを取り付けてもよい。本コマの場合、コマが倒れても内部の回転盤２は若干回転し続けるため、コマの倒れた方向により方向は定まっても、ルーレットとしての機能はまだ有しており、その結果が得られるのに時間差があるため、ゲームの演出上ユニークな特性となる。
【００１２】
また、回転盤２に直接文字情報を記載する方法以外に、図３に示してあるような、文字情報を記載している脱着可能な文字盤３を別途作り、目的に応じて適宜図４、５のように回転盤の上面に装着することで、様々な遊び方が可能となる。
【００１３】
この時の文字盤３であるが、コマの回転に影響を及ぼさないことが重要であり、直径１０ｃｍ以下の円で、厚さ３ｍｍ以下であることが望ましい。
【００１４】
コマの回転方法については、通常のコマの回し方で問題はなく、倒れた時のボードと回転軸１の角度を可能な限り垂直に近くしていることから、少しの力でも回転が可能である。
【００１５】
本コマをボード上で回転させることで、コマがある方向に倒れることによる方向指示機能、及び倒れた方向の回転盤２、もしくは回転盤２に装着した文字盤３の文字情報を見ることにより、ルーレット機能も有することになり、様々なボードゲームなどへの応用が可能となる。
以下に実施例を示すが、本内容は本発明の一例であり、本発明の請求範囲を制限するものではない。
【００１６】
【実施例】
１、コマの作成
回転軸として長さ９ｃｍ、直径７ｍｍの木製の丸棒を用意し、ボードと接触する部分である先端部を先端より５ｍｍの所から先端まで円錐状に加工した。また、回転盤として直径８ｃｍ、幅１５ｍｍの円盤を用意し、角をやすりで十分に研摩した後、片面を文字盤として１〜６までの数字を６等分で割り当てて記述する。回転板の中心に回転軸が差し込める穴を作り、上から文字盤が見えるように、回転盤の下部（文字盤が記載されていない部分）を回転軸の先端部から１０ｍｍのところに取り付ける。この時のコマの重さは６５ｇ、倒れた時のボードと回転軸の角度は７５°である。
実際に回転させたところ、発明の意図通りコマの回転が低下して倒れても、ボード上に留まっており、目的の方向指示機能、ルーレット機能を有するコマを取得することができる。
【００１７】
２、回転盤に装着する文字盤の作成
厚さ１ｍｍの白色アクリル板から直径５ｃｍの円を切り抜き、得られた円盤の中央にコマの回転軸を通す穴として、直径８ｍｍの穴をあけておく。円盤の片面に「０、１、２、０、−１、−２」の数字を６等分で割り当てて記述しておく。本文字盤を実施例１のコマに装着して実際に回転させたところ、実施例１と同じように、コマの回転が低下して倒れてもボード上に留まっており、目的の方向指示機能、ルーレット機能を有するコマを取得することができる。
【００１８】
３、コマを用いたゲーム１（地図を用いたロールプレイングゲーム）
自分の現在いる位置が含まれている二万五千分の１の地図（国土地理院発行）を用意し、その場所で実施例１で得られたコマを回転させる。この時、コマの倒れた方向を移動方向、コマの倒れた方向にある文字盤の数字を移動する距離（単位をキロメートル）とする。
すると、二万五千分の１の地図のある場所を示すことになるため、そこに実際に車、自転車などで移動するというリアルなゲームを楽しむことができる。
【００１９】
４、コマを用いたゲーム２（罰ゲーム選定）
９×９で碁板状にマス目を引いた紙を用意し、それぞれのマス目に様々な罰ゲーム、例えば王様ゲームで行われているような内容を記しておく。紙の中央で実施例１で得られたコマを回転させ、コマの倒れた方向を移動方向、コマの倒れた方向にある文字盤の数字を移動するマス目数とする。
その結果、無作為にどのような罰ゲームをするかを決めることができる。
【００２０】
【発明の効果】
本発明において、方向指示機能及びルーレット機能を有するコマの形態をした道具の開発に成功した。本道具はボードゲーム等への利用の他、様々な場面においての利用が考えられる。
【図面の簡単な説明】
【図１】本発明品のコマの正面図である。
【図２】本発明品のコマの平面図である。
【図３】本発明品のコマの回転盤に装着可能な文字盤の平面図である。
【図４】本発明品のコマに文字盤を装着した時の正面図である。
【図５】本発明品のコマに文字盤を装着した時の平面図である。
【符号の説明】
１　回転軸
２　回転盤
３　文字盤
【図１】
2004097745.tif 000003
【図２】
2004097745.tif 000004
【図３】
2004097745.tif 000005
【図４】
2004097745.tif 000006
【図５】
2004097745.tif 000007